(57)【要約】【課題】高音用スピーカー音質のキーポイントである振動膜基板は軽量で薄くまた硬いものであって、一般のものと異った高度のヤング率を持ち、磁極部は相当高度の磁束密度を有する炭素含有量の少ないヨーク材料を使い、ボイスコイルも質量を軽くするため極力細い導線で巻く等の高音用スピーカー振動膜片を提供すること。【解決手段】スピーカーの振動膜基板が、酸、アルカリ、湿気、水分及び灰塵等に耐え、人の耳に優しく爽やかな音質を持つ軽量で、薄くかつ硬い発音対であり、ボーキサイドから構成されるスピ−カーの振動膜基板であって、厚さが５μｍ〜４０μｍの半円球の中身がない茶碗型であり、かつ碗径が５ｍｍ〜１５ｍｍの大きさであること、当該半円球の上側の凸状部分を下向きに、かつ碗口廻り縁部はダンパの下側に着装してなること。【選択図】図１
0003127232.tif 000002
【実用新案登録請求の範囲】
【請求項１】
酸、アルカリ、湿気、水分及び灰塵等に耐え、人の耳に優しく爽やかな音質を持つ軽量で、薄くかつ硬い発音体であり、ボーキサイドから構成されるスピ−カーの振動膜基板であって、厚さが５μｍ〜４０μｍの半円球の中身がない茶碗型であり、かつ碗径が５ｍｍ〜１５ｍｍの大きさであること、当該半円球の上側の凸状部分を下向きに、かつ碗口廻り縁部はダンパの下側に着装してなること、を特徴とするスピーカーの振動膜基板。
【考案の詳細な説明】
【技術分野】
【０００１】
本考案はスピーカーの振動膜基板に関するもので、更に詳しくはコン型ツィーター又はイヤホーンに使われている高音特性の良い高音用スピーカー（ツィーター）を提供することに関する。
【背景技術】
【０００２】
FM放送、DVDの普及に伴ってHiFiに対する要望が著しく高まり、再生装置も次々に新しい優れたものが生み出されている今日、特に再生系で最も重要な部分を占めるスピーカーシステムは、本当にHiFiを楽しむためにはシングルでは不十分で、高音及び低音をそれぞれ専用のスピーカーに受持たせて、良い音響効果を発揮再生することが必要となってきました。
【０００３】
若い青年の健康な耳の可聴周波数範囲は20Hz〜20KHzとされていますが、この範囲全部をひずみなく一様に再生することは、技術的にも経済的にも不可能に近いことです。
スピーカーの再生帯域が音質に及ぼす影響は、音質の良し悪しにかかはりなく、原音と異なった感じを与える原因は非直線ひずみと過渡現象が主で、スピーカー機械系の固有振動による過渡現象のうち、低音域用ではあまり問題にはならないものの、中高域以上ではこの過渡的特性の良否でスピーカーの品質が決まる、といっても過言ではありません。これらスピーカーの品質判別はもっぱら特性に頼るばかりです。
【０００４】
従来、一般市場で使用されているスピーカーの音発声体コーン紙は紙、糸繊維、プラスチック、或いはアルミ、又は薄くて軽いチタン金属片等で仕上げられ、それらをスピーカー振動膜基板のコーン紙として使うには軽量で薄く、又硬い、三つの要件が必要でした。
【０００５】
上記紙、糸繊維で作られたスピーカーの多くは中、低音用に広く用いられているが、その振動基板のコーン紙は繊維材質である故一定期間使用後長らく空気中にさらされるため湿気や汚れ等を吸収し、又は強出力音圧のため老化しやすく、コーン紙にひびが出来て音質を悪くさせるものであった。
【０００６】
これら繊維材質で作られたスピーカー振動膜基板のコーン紙を湿気及び汚れ等の侵害から逃れるため、その繊維基材をプラスチック又は軽金属材質に取替え、又はそれら繊維基材を底とし、その上に防湿塗料を塗布したり、或いは軽金属膜をメッキする等、音質は受聴者にとっては尚受け取られるが重さが加わり強力なアンプ出力が必要となり、糸繊維では延び性が良いのと価額が安い優点はあるが、硬さ不足の欠点と音質が比較的硬くやわらかみを欠き、又湿度や汚れの侵害からまぬがれないものである故、高音用スピーカーとして使うことが出来ないものである。
【考案の開示】
【考案が解決しようとする課題】
【０００７】
そこで、本考案は前記に鑑み、その第一の目的は高音用スピーカー音質のキーポイントである振動膜基板は軽量で薄くまた硬いものであって、一般のものと異った高度のヤング率を持ち、磁極部は相当高度の磁束密度を有する炭素含有量の少ないヨーク材料を使い、ボイスコイルも質量を軽くするため極力細い導線で巻く等の高音用スピーカー振動膜片を提供するものである。
【０００８】
また、本考案の第二の目的は今迄に得られなかったカナリヤの鳴くようなさわやかな高い柔らかい鳴き声の出る人の耳に優しく、ゆがみの少ない過度現象の良いツィーターを提供するにある。
【課題を解決するための手段】
【０００９】
上記の目的を達成するため、本考案は各種のスピーカーコーン紙材料を分析、実験等を繰り返すことにより遂に硬さがダイヤモンドに次ぐ純陶磁材質で作られたものが最も良く、高音音質が良いだけではなく、または高温、酸にも耐えられ、腐食、紫外線、湿度、汚塵にも対抗できる、過度特性の急峻なピークやディップのギスギスが少ないｆ特性の良好な高音用スピーカーの振動膜基材を発見し、今までに使われていない純陶製磁振動膜片を完成した。
【００１０】
即ち、本考案のスピーカーの振動膜基板は、酸、アルカリ、湿気、水分及び灰塵等に耐え、人の耳に優しく爽やかな音質を持つ軽量で、薄くかつ硬い発音体であり、ボーキサイドから構成されるスピ−カーの振動膜基板であって、厚さが５μｍ〜４０μｍの半円球の中身がない茶碗型であり、かつ碗径が５ｍｍ〜１５ｍｍの大きさであること、当該半円球の上側の凸状部分を下向きに、かつ碗口廻り縁部はダンパの下側に着装してなること、からなる。
【考案の効果】
【００１１】
本考案は上記記載の構成により、特にその振動膜基板のヤング係数、密度、音反応率は高く、1200℃〜1600℃のこん炉で焼いた陶磁物からなる故、酸、アルカリ、水分湿度、灰塵、腐食などに耐えることができ、又薄く軽量に作られるのでスピーカーから出る音は陶磁独特の高い柔らかな人の耳には優しく、長らく聴いても厭きない効果をなすものである。
【考案を実施するための最良の形態】
【００１２】
以下、本考案の高音用スピーカー（ツィーター）振動膜基板の構成、製造及び特徴を図面に基づいて説明する。
【００１３】
図１は本考案の振動膜基板1を着装してあるツィーターの断面図である。ツィーター高音用振動膜基板に必要な条件要素の軽量で薄く又硬い本考案の振動膜基板1は、純ボーキサイド（礬土）粉末を練り合わせて厚さ5μm〜40μmの中身なしの半球体、外形は茶碗型で碗径約5mmから15mmの大きさに、金型にて成型し乾燥した後、脱金型して1200℃〜1600℃のこん炉で焼き、焼付け後冷却し、旋盤研磨で厚みが必要の厚さになるまで研磨して構成されたものである。
【００１４】
上記成型された本考案のスピーカー振動膜基板1の構造は、厚さ5μm〜40μmの中身がない碗型半円球体で、その半円球の上側の凸状部分を上向きに、碗口の廻り縁部11はスピーカーのダンパ2の上に粘着し、さらにそのダンパ2は又コイルボビン12とスピーカー本体の外殻3、センターポール4とに固定されてツィーター型スピーカーをなしている。
【００１５】
図2は本考案の振動膜基板1を図1と反対的にその半円球の凸部を下向きに、碗口廻り縁部11は上に（ダンパの下）してダンパ2に着装してなるツィーターの断面図である。
本考案のダンパ2は現在一般市販のスピーカーに使われている弾性のある材質例えば合成樹脂であれば良く、磁極部4は磁束密度の高い炭素含有量の少ないヨーク材料を使い、ボイスコイル5も質量の軽い極力細かい導線で巻いたものでボビンも特に軽いものを選んで使用するものである。
【００１６】
図3は本考案の振動膜を着装してあるスピーカーの周波数特性図であって、図4は振動膜コーン紙がアルミ製であるスピーカーの周波数特性図であり、図5は振動膜コーン紙が紙、糸繊維製であるスピーカーの周波数特性図で、図6は振動膜コーン紙がPET製であるスピーカーの周波数特性図を示すものです。
【００１７】
下記表１は本考案と別スピーカー振動膜の測定結果を示すものである。
0003127232.tif 000003
【図面の簡単な説明】
【００１８】
【図１】本考案の振動膜基板を着装した高音用スピーカーの断面図。
【図２】本考案の振動膜を別の形態にて着装した高音用スピーカーの断面図。
【図３】本考案の振動膜を着装してあるスピーカーの周波数特性図。
【図４】振動膜コーン紙がアルミ製であるスピーカーの周波数特性図。
【図５】振動膜コーン紙が紙、糸繊維製であるスピーカーの周波数特性図。
【図６】振動膜コーン紙がPET製であるスピーカーの周波数特性図。
【符号の説明】
【００１９】
1、振動膜基板
11、碗口の廻り縁部
12、コイルボビン
2、ダンパ
3、外殻
4、センターポール
5、ボイスコイル
【図１】
0003127232.tif 000004
【図２】
0003127232.tif 000005
【図３】
0003127232.tif 000006
【図４】
0003127232.tif 000007
【図５】
0003127232.tif 000008
【図６】
0003127232.tif 000009